(57)【要約】【課題】フレームタイプのレーザ発光素子を容易に、かつ、高い取り付け精度をもって発光素子ホルダに保持させることのできる光ヘッド装置を提供すること。【解決手段】光ヘッド装置１において、発光素子ホルダ９は、各々がレーザ発光素子２のフィン２４ａ、２５ａに両側から当接してレーザ発光素子２を挟持する第１のホルダ構成部材９１と第２のホルダ構成部材９２とを備えており、第１のホルダ構成部材９１と第２のホルダ構成部材９２は、フレーム２１に対しては非接触状態でレーザ発光素子２を狭持する。【選択図】      図３
2004192720.tif 000002
【特許請求の範囲】
【請求項１】
角型フレームに半導体レーザチップが収納されたフレームタイプのレーザ発光素子が光学部品とともにベース上に搭載された光ヘッド装置において、
前記レーザ発光素子は、発光素子ホルダを介して前記ベースに搭載され、
前記発光素子ホルダは、各々が前記レーザ発光素子の少なくとも一部分に両側から当接して当該レーザ発光素子を挟持するように連結された第１のホルダ構成部材と第２のホルダ構成部材とを備えている特徴とする光ヘッド装置。
【請求項２】
請求項１において、前記レーザ発光素子は、前記フレームから側方に張り出したフィンを備え、
前記発光素子ホルダは、前記第１のホルダ構成部材および前記第２のホルダ構成部材が両側から前記フィンに当接することにより前記フレームに対しては非接触状態で前記レーザ発光素子を狭持していることを特徴とする光ヘッド装置。
【請求項３】
請求項１または２において、前記発光素子ホルダは、前記第１のホルダ構成部材と前記第２のホルダ構成部材とを連結した状態で前記ベースへの取り付け面が形成されるとともに、当該取り付け面には前記レーザ発光素子から出射されたレーザ光を通す開口が形成されることを特徴とする光ヘッド装置。
【発明の詳細な説明】
【０００１】
【発明の属する技術分野】
本発明は、ＣＤやＤＶＤなどの光記録媒体などの光記録ディスクの再生に用いられる光ヘッド装置に関するものである。さらに詳しくは、光ヘッド装置において、フレームタイプのレーザ発光素子をベースに搭載するための搭載技術に関するものである。
【０００２】
【従来の技術】
ＣＤやＤＶＤなどの光記録ディスクの再生に用いられる光ヘッド装置は、レーザ発光素子と、レーザ発光素子から出射されたレーザ光を光記録媒体に収束させる対物レンズが搭載されているとともにフォーカシング方向およびトラッキング方向に駆動される対物レンズ駆動機構と、光記録ディスクで反射した戻り光を受光する受光素子と、レーザ発光素子と受光素子の間でレーザ光を導く光学系部品を有している。これらの光学部品はベースに搭載されている。
【０００３】
ここで、レーザ発光素子としては、従来、半導体レーザチップが円筒ケース内に収納されたカンタイプが使用されている。このようなカンタイプのレーザ発光素子をベース上に搭載するには、通常、丸穴が形成された発光素子ホルダにレーザ発光素子を圧入固定した後、発光素子ホルダをベースに接着固定している。
【０００４】
【発明が解決しようとする課題】
レーザ発光素子としては、角型フレームに半導体レーザチップが収納されたフレームタイプがあり、このようなフレームタイプのレーザ発光素子については、発光素子ホルダに圧入固定してベースに搭載することができないという問題点がある。すなわち、外形が円柱形のカンタイプのレーザ発光素子であれば、発光素子ホルダの丸穴に圧入するのも容易であるが、フレームタイプのレーザ発光素子の場合には、外形が角型のフレームを発光素子ホルダの矩形断面の穴に圧入しようとすると、無理な力がフレームに加わるため、容易ではない。また、フレームタイプのレーザ発光素子において、フレームは薄板から形成されているので、それを無理に圧入しようとすると、変形するおそれがあり、このような変形は、発光素子ホルダに対するレーザ発光素子の取り付け精度を低下させてしまう。
【０００５】
一方、発光素子ホルダにおいて、レーザ発光素子を圧入するための矩形断面の穴は、深くて細いスリットであり、このようなスリットが形成可能な金型を製作することはできない。このため、金型を用いて発光素子ホルダを容易に製作することができない。
【０００６】
以上の問題に鑑みて、本発明の課題は、フレームタイプのレーザ発光素子を容易に、かつ、高い取り付け精度をもって発光素子ホルダに保持させることのできる光ヘッド装置を提供することにある。
【０００７】
【課題を解決するための手段】
上記の課題を解決するために、本発明では、角型フレームに半導体レーザチップが収納されたフレームタイプのレーザ発光素子が光学部品とともにベース上に搭載された光ヘッド装置において、前記レーザ発光素子は、発光素子ホルダを介して前記ベースに搭載され、前記発光素子ホルダは、各々が前記レーザ発光素子の少なくとも一部分に両側から当接して当該レーザ発光素子を挟持するように連結された第１のホルダ構成部材と第２のホルダ構成部材とを備えていることを特徴とする。
【０００８】
本発明において、発光素子ホルダは、各々がレーザ発光素子の少なくとも一部分に両側から当接してレーザ発光素子を挟持する第１のホルダ構成部材と第２のホルダ構成部材とを備えているため、圧入構造を採用しなくても、レーザ発光素子を発光素子ホルダに容易に、かつ無理なく保持させることができる。また、圧入構造を採用しないため、フレームに過大な力が加わらないので、フレームが変形するおそれがない。従って、発光素子ホルダに対するレーザ発光素子の取り付け精度が低下するおそれもない。
【０００９】
また、発光素子ホルダには、レーザ発光素子を圧入するための深くて細いスリットが形成されないので、発光素子ホルダを成形するための金型を容易に製作でき、金型を用いて発光素子ホルダも容易に製作できる。
【００１０】
本発明において、前記レーザ発光素子は、前記フレームから側方に張り出したフィンを備え、前記発光素子ホルダは、前記第１のホルダ構成部材および前記第２のホルダ構成部材が両側から前記フィンに当接することにより前記フレームに対しては非接触状態で前記レーザ発光素子を狭持していることが好ましい。このように構成すると、フレームを構成する薄板に力が加わらないため、フレームが変形するおそれがないので、発光素子ホルダに対するレーザ発光素子の取り付け精度が低下するおそれがない。
【００１１】
本発明において、前記発光素子ホルダは、例えば、前記第１のホルダ構成部材と前記第２のホルダ構成部材とを連結した状態で前記ベースへの取り付け面が形成されるとともに、当該取り付け面には前記レーザ発光素子から出射されたレーザ光を通す開口が形成される。
【００１２】
【発明の実施の形態】
以下に、図面を参照して、本発明を適用した光ヘッド装置を説明する。
【００１３】
（全体構成）
図１は、本発明が適用される光ヘッド装置の一例を示す概略構成図である。
【００１４】
図１に示すように、光ヘッド装置１は、ＣＤあるいはＤＶＤなどの光記録ディスク５（光記録媒体）に対する情報記録、情報再生を行うものであり、レーザ発光素子２と、レーザ発光素子２からの出射されたレーザ光を光記録媒体５に向けて反射させるハーフミラー３と、ハーフミラー３で反射したレーザ光を光記録ディスク５に収束させる対物レンズ４と、光記録ディスク３で反射し、対物レンズ４およびハーフミラー３を通過した戻り光を受光する光検知器６とを有しており、これらの光学部品は、不図示のベースに搭載されている。また、ベースには、対物レンズ４のトラッキング方向およびフォーカシング方向の位置を調整するための対物レンズ駆動機構７なども搭載されている。
【００１５】
本形態において、レーザ発光素子２は、角型フレームに半導体レーザチップが収納されたフレームタイプのレーザ発光素子であり、以下に詳述する発光素子ホルダ９を介してベース上に搭載されている。
【００１６】
（発光素子ホルダの構成）
図２（ａ）、（ｂ）、（ｃ）および（ｄ）はそれぞれ、フレームタイプのレーザ発光素子２を発光素子ホルダ９に搭載した状態を示す正面図、底面図、背面図、および右側面図である。図３（ａ）および（ｂ）はそれぞれ、発光素子ホルダ９を構成する第１のホルダ構成部材とおよび第２のホルダとを連結させる前の状態を示す分解斜視図、および第１のホルダ構成部材とおよび第２のホルダと連結させた状態を示す斜視図である。図４は、図２および図３に示す発光素子ホルダを光ヘッド装置のベースに取り付けた状態を示す部分断面図である。
【００１７】
図２および図３に示すように、本形態で用いたレーザ発光素子２は、角型のフレーム２１を備えており、このフレーム２１は、レーザ光Ｌを出射する出射面２２と、出射面２２の背面側で金属製の端子２９が突き出た背面２３と、金属製の放熱用のフィン２４ａ、２５ａが側方に突き出た一対のフィン形成面２４、２５と、第１および第２の端面２６、２７とを備えている。フィン２４ａ、２５ａは、端面２６、２７に平行に突き出ている。
【００１８】
発光素子ホルダ９は、各々がレーザ発光素子２の少なくとも一部分に両側から当接してレーザ発光素子２を挟持するように連結される第１のホルダ構成部材９１と第２のホルダ構成部材９２とを備えている。
【００１９】
これらのホルダ構成部材９１、９２のうち、フレーム２１の第１の端面２６の側に位置する第１のホルダ構成部材９１は、第２のホルダ構成部材９２との接合面９１１ａ、９１１ｂの側に、レーザ発光素子２のフィン２４ａ、２５ａの一部が嵌る段部９１２ａ、９１２ｂと、フレーム２１を非接触状態に収納する溝部９１３とが形成されている。また、第１のホルダ構成部材９１には、一対のフランジ部９１４ａ、９１４ｂが形成されており、これらのフランジ部９１４ａ、９１４ｂには、ねじ９３を通す貫通穴９１５が形成されている。
【００２０】
これに対して、フレーム２１の第２の端面２７の側に位置する第２のホルダ構成部材９２は、第１のホルダ構成部材９１との接合面９２１ａ、９２１ｂに、レーザ発光素子２のフィン２４ａ、２５ａの一部が嵌る段部９２２ａ、９２２ｂと、フレーム２１を非接触状態に収納する溝部９２３とが形成されている。また、第２のホルダ構成部材９２には、一対のフランジ部９２４ａ、９２４ｂが形成されており、これらのフランジ部９２４ａ、９２４ｂには、ねじ９３に対するねじ穴９２５が形成されている。
【００２１】
従って、第１および第２のホルダ構成部材９１、９２の間にレーザ発光素子２を挟むようにして第１および第２のホルダ構成部材９１、９２をねじ９３でとめれば、あるいは、第１および第２のホルダ構成部材９１、９２をねじ９３で緩く止めた後、溝９１３、９２３で形成された空間にレーザ発光素子２を挿入し、しかる後に、ねじ９３を締めれば、第１のホルダ構成部材９１と第２のホルダ構成部材９２は、間にレーザ発光素子２を保持する状態となる。
【００２２】
この際、レーザ発光素子２のフィン２４ａ、２５ａの端部が第１および第２のホルダ構成部材９１、９２の段部９１２ａ、９１２ｂ、９２２ａ、９２２ｂの壁面に突き当たり、そこが度当たりになってレーザ発光素子２が位置決めされる。この状態で、フィン２４ａ、２５ａの一部は、第１および第２のホルダ構成部材９１、９２の段部９１２ａ、９１２ｂ、９２２ａ、９２２ｂに嵌った状態となって第１および第２のホルダ構成部材９１、９２に両側から挟持されるとともに、レーザ発光素子２のフィン２４ａ、２５ａの残りの部分が発光素子ホルダ９から突き出た状態となる。
【００２３】
ここで、第１のホルダ構成部材９１と第２のホルダ構成部材９２とを連結した状態で、溝９１３、９２３によって構成される空間は、レーザ発光素子２のフレーム２１の厚さよりも広い。従って、発光素子ホルダ９（第１および第２のホルダ構成部材９１、９２）は、フレーム２１に対して非接触の状態でレーザ発光素子２を保持する。
【００２４】
このようにしてレーザ発光素子２を保持した状態で、発光素子ホルダ９には、ベースへの取り付け面９０６が形成されるとともに、取り付け面９０６にはレーザ発光素子２から出射されたレーザ光を通す開口２０が形成される。
【００２５】
従って、レーザ発光素子２を保持した発光素子ホルダ９を、図４に示すように光ヘッド装置１のベース１０に接着剤１２によって固定すれば、発光素子ホルダ９を介してレーザ発光素子２をベース１０に搭載することができる。この際には、発光素子ホルダ９については、三次元方向への位置調整が行われ、レーザ発光素子２のレーザ発光点の位置合わせが行われる。
【００２６】
（本形態の効果）
このように、本形態の光ヘッド装置１において、発光素子ホルダ９は、各々がレーザ発光素子２の少なくとも一部分に両側から当接してレーザ発光素子２を挟持する第１のホルダ構成部材９１と第２のホルダ構成部材９２とを備えているため、圧入構造を採用しなくても、レーザ発光素子２を容易、かつ、無理なく保持することができる。また、圧入構造を採用しないので、レーザ発光素子２のフレーム２１に過大な力が加わらない。
【００２７】
しかも、発光素子ホルダ９は、第１のホルダ構成部材９１および第２のホルダ構成部材９２が両側からフィン２４ａ、２５ａに当接することによりフレーム２１に対しては非接触状態でレーザ発光素子２を狭持する。従って、フレーム２１を構成する薄板に力が加わらないため、フレーム２１が変形するおそれがない。それ故、発光素子ホルダ９に対するレーザ発光素子２の取り付け精度が低下するおそれがない。
【００２８】
また、発光素子ホルダ９には、レーザ発光素子２を圧入するための深くて細いスリットが形成されないので、発光素子ホルダ９を成形するための金型を容易に製作でき、金型を用いて発光素子ホルダ９の製作も容易にできる。
【００２９】
（その他の実施の形態）
上記の形態では、発光素子ホルダ９を構成する第１および第２のホルダ構成部材９１、９２をねじ９３で固定しているが、接合面にボスと、ボスを圧入するための穴を形成して第１および第２のホルダ構成部材９１、９２を連結しても良い。例えば、図５および図６に示すように、第１のホルダ構成部材９１の接合面９１１ａ、９１１ｂに圧入用ボス９１７ａ、９１７ｂを形成する一方、第２のホルダ構成部材９１の接合面９２１ａに圧入用ボス９１７ａが圧入される圧入用穴９２７を形成し、接合面９２１ｂに圧入用ボス９１７ｂが圧入される圧入用溝９２８を形成してもよい。その他の構成は、前記の形態と同様であるため、対応する部分には同一の符号を付してそれらの説明を省略する。
【００３０】
【発明の効果】
以上説明したように、本発明の光ヘッド装置において、発光素子ホルダは、各々がレーザ発光素子の少なくとも一部分に両側から当接してレーザ発光素子を挟持する第１のホルダ構成部材と第２のホルダ構成部材とを備えているため、圧入構造を採用しなくても、レーザ発光素子を発光素子ホルダに容易に、かつ無理なく保持させることができる。また、圧入構造を採用しないため、フレームに過大な力が加わらないので、フレームが変形するおそれがない。従って、発光素子ホルダに対するレーザ発光素子の取り付け精度が低下するおそれもない。
【００３１】
また、発光素子ホルダには、レーザ発光素子を圧入するための深くて細いスリットが形成されないので、発光素子ホルダを成形するための金型を容易に製作でき、金型を用いて発光素子ホルダの製作も容易にできる。
【図面の簡単な説明】
【図１】本発明が適用される光ヘッド装置の光学系を示す概略構成図である。
【図２】（ａ）、（ｂ）、（ｃ）および（ｄ）はそれぞれ、フレームタイプのレーザ発光素子を発光素子ホルダに搭載した状態を示す正面図、底面図、背面図、および右側面図である。
【図３】（ａ）および（ｂ）はそれぞれ、図２に示す発光素子ホルダにおいて、第１のホルダ構成部材と第２のホルダとを連結させる前の状態を示す分解斜視図、および第１のホルダ構成部材と第２のホルダとを連結させた状態を示す斜視図である。
【図４】図２および図３に示す発光素子ホルダを光ヘッド装置のベースに取り付けた状態を示す部分断面図である。
【図５】（ａ）ないし（ｅ）はそれぞれ、本発明を適用した別の光ヘッド装置において、フレームタイプのレーザ発光素子を発光素子ホルダに搭載した状態を示す正面図、底面図、背面図、右側面図、および左側面図である。
【図６】（ａ）、（ｂ）、および（ｃ）はそれぞれ、図５に示す発光素子ホルダにおいて、第１のホルダ構成部材と第２のホルダとを連結させる前の状態を示す分解斜視図、第１のホルダ構成部材と第２のホルダとを連結させる前の状態を別の角度からみた様子を示す分解斜視図、および第１のホルダ構成部材と第２のホルダとを連結させた状態を示す斜視図である。
【符号の説明】
１  光ヘッド装置
２  フレームタイプのレーザ発光素子
３  ハーフミラー
４  対物レンズ
５  光記録ディスク（光記録媒体）
６  光検知器
７  対物レンズ駆動機構
９  発光素子ホルダ
１０  ベース
９１  第１のホルダ
９２  第２のホルダ
【図１】
2004192720.tif 000003
【図２】
2004192720.tif 000004
【図３】
2004192720.tif 000005
【図４】
2004192720.tif 000006
【図５】
2004192720.tif 000007
【図６】
2004192720.tif 000008